(57)【要約】【課題】  信頼性の高い磁気ディスク装置と信頼性の低い安価な磁気ディスク装置を用途に応じて柔軟に使い分けることが可能となりデータコストを削減すると共に、同一ディスクアレイ装置内に用途の異なるデータ領域を配置できるため、用途別に複数のディスクアレイ装置を備えること不要とし管理コストの削減を図ることができるディスクアレイ装置およびその制御方法を提供する。【解決手段】  同一ディスクアレイ装置１にＦＣ磁気ディスク装置とＡＴＡ磁気ディスク装置を搭載し磁気ディスク装置単位に電源の通電/停電の制御を可能とする。ＦＣ磁気ディスク装置とＡＴＡ磁気ディスク装置を組み合わせた論理ディスクを構成し、ＦＣ磁気ディスク装置は２４時間稼働、ＡＴＡ磁気ディスク装置はアクセス発生時のみ稼働させる。【選択図】  図１
2006277302.tif 000002
【特許請求の範囲】
【請求項１】
信頼性／稼働条件の異なる複数種類の磁気ディスク装置を搭載し磁気ディスク装置単位に電源の制御を可能とすることを特徴とするディスクアレイ装置。
【請求項２】
信頼性の高い磁気ディスク装置で構成されるランクと、信頼性の低い磁気ディスク装置で構成されるランクを用いて論理ディスクを構成し、前記信頼性の高い磁気ディスク装置で構成されるランクと、前記信頼性の低い磁気ディスク装置で構成されるランクを束ねて論理ディスクを配置することを特徴とする請求項１記載のディスクアレイ装置。
【請求項３】
同一論理ディスクのランクごとに通電／停電の制御を行うことができ、通電状態にあるランクから優先してデータの書き込みおよび読み出しを行うことによりホストコンピュータからのアクセス要求にリニアに応答することを特徴とする請求項２記載のディスクアレイ装置。
【請求項４】
前記信頼性の低い磁気ディスク装置で構成される論理ディスクに対し、バックアップを制御するプログラムと組み合わせて使用することにより磁気ディスク装置の通電／停電を自動制御することを特徴とする請求項２または３記載のディスクアレイ装置。
【請求項５】
請求項３で述べた論理ディスク、前記信頼性の低い磁気ディスク装置で構成される、および前記信頼性の高い磁気ディスク装置で構成される論理ディスクを同一ディスクアレイ装置内に混在することを特徴とするディスクアレイ装置。
【請求項６】
信頼性／稼働条件の異なる複数種類の磁気ディスク装置を搭載したディスクアレイ装置について、磁気ディスク装置単位に電源の制御を行うことを特徴とするディスクアレイ装置の制御方法。
【請求項７】
信頼性の高い磁気ディスク装置で構成されるランクと、信頼性の低い磁気ディスク装置で構成されるランクを用いて論理ディスクを構成し、前記信頼性の高い磁気ディスク装置で構成されるランクと、前記信頼性の低い磁気ディスク装置で構成されるランクを束ねて論理ディスクを配置することを特徴とする請求項６記載のディスクアレイ装置の制御方法。
【請求項８】
同一論理ディスクのランクごとに通電／停電の制御を行うことができ、通電状態にあるランクから優先してデータの書き込みおよび読み出しを行うことによりホストコンピュータからのアクセス要求にリニアに応答することを特徴とする請求項７記載のディスクアレイ装置の制御方法。
【請求項９】
前記信頼性の低い磁気ディスク装置で構成される論理ディスクに対し、バックアップを制御するプログラムと組み合わせて使用することにより磁気ディスク装置の通電／停電を自動制御することを特徴とする請求項７または８記載のディスクアレイ装置の制御方法。
【請求項１０】
請求項８で述べた論理ディスク、前記信頼性の低い磁気ディスク装置で構成される、および前記信頼性の高い磁気ディスク装置で構成される論理ディスクを同一ディスクアレイ装置内に混在することを特徴とするディスクアレイ装置の制御方法。
【発明の詳細な説明】
【技術分野】
【０００１】
本発明は、複数種類の磁気ディスク装置を搭載したディスクアレイ装置およびその制御方法に関する。
【背景技術】
【０００２】
従来、高性能／高信頼性が優先されるディスクアレイ装置では高性能／高信頼性の磁気ディスク装置、例えば、ＦＣ磁気ディスク装置(Fiber Channelインターフェースを備えた磁気ディスク装置。データの入出力の処理性能が高く、２４時間連続稼働に耐える高信頼性を有する)を用いてＲＡＩＤを構成する。
【０００３】
一方、低価格／大容量化が優先されるディスクアレイ装置では性能／信頼性よりも容量単価が優先される磁気ディスク装置、例えば、ＡＴＡ磁気ディスク装置(AT Attachmentインターフェースを備えた磁気ディスク装置。ＦＣ磁気ディスク装置に比べデータ入出力の処理性能が劣り、２４時間連続稼働を想定した設計が行われていないが、記録密度が高く安価)を用いてＲＡＩＤを構成する。
【０００４】
また、同一装置内に、信頼性の異なる磁気ディスク装置を混在して使用することもある。
【０００５】
ここで、信頼性の低い磁気ディスク装置を有するディスクアレイ装置、あるいは異なる信頼性の複数種類の磁気ディスク装置を有するディスクアレイ装置において、装置として一定以上の信頼性を保つ為、信頼性の低い磁気ディスク装置の累積稼働時間を管理し、より累積稼働時間の短い磁気ディスク装置を使用する技術が提案されている（例えば、特許文献１参照）。
【特許文献１】特開２００４−２４６７４９号公報
【発明の開示】
【発明が解決しようとする課題】
【０００６】
しかしながら、上述した従来例においては次のような問題点があった。
【０００７】
上記の信頼性が高く２４時間連続稼働可能な磁気ディスク装置と信頼性が低く２４時間連続稼働を前提としていない磁気ディスク装置を混在搭載するディスクアレイ装置は、稼働時間を信頼性の劣る磁気ディスク装置に合わせて使用する必要が生じる為、ディスクアレイ装置としての信頼性を維持しつつ２４時間連続稼働に耐えうる事が困難である。
【０００８】
また、信頼性が高く２４時間連続稼働可能な磁気ディスク装置を搭載したディスクアレイ装置と信頼性が低く２４時間連続稼働を前提としていない磁気ディスク装置を搭載したディスクアレイ装置の双方を用いてシステムを構築することは管理コストの増大に繋がる。
【０００９】
累積稼働時間を管理し、より累積稼働時間の短い磁気ディスク装置を使用する技術を用いた場合でも、実際に使用する容量以上の磁気ディスク装置を搭載する必要があるため、コストの増大に繋がる。
【００１０】
そこで、本発明は、信頼性の高い磁気ディスク装置と信頼性の低い安価な磁気ディスク装置を用途に応じて柔軟に使い分けることが可能となりデータコストを削減すると共に、同一ディスクアレイ装置内に用途の異なるデータ領域を配置できるため、用途別に複数のディスクアレイ装置を備えることを不要とし管理コストの削減を図ることができるディスクアレイ装置およびその制御方法を提供することを目的とする。
【課題を解決するための手段】
【００１１】
本発明は、同一ディスクアレイ装置に高性能／高信頼性の磁気ディスク装置、例えばＦＣ磁気ディスク装置と性能／信頼性よりも容量単価が優先される磁気ディスク装置、例えば、ＡＴＡ磁気ディスク装置を搭載し、磁気ディスク装置単位に電源の通電／停電の制御を可能とする。
【００１２】
さらに、ＦＣ磁気ディスク装置によるランクと、ＡＴＡ磁気ディスク装置によるランクを構成しＦＣ磁気ディスク装置によるランク上に配置される論理ディスク、ＡＴＡ磁気ディスク装置によるランク上に配置される論理ディスク、ＦＣ磁気ディスク装置によるランクおよびＡＴＡ磁気ディスク装置によるランクを組み合わせた上に配置される論理ディスクの３種類の論理ディスクを構築可能とし、アクセス頻度が高いデータやサイズの小さいデータはＦＣ磁気ディスク装置のみで構成される論理ディスクに格納する。
【００１３】
本論理ディスクを構成するＦＣ磁気ディスク装置は、２４時間稼働が可能である。
【００１４】
サイズの大きいデータは、ＦＣ磁気ディスク装置とＡＴＡ磁気ディスク装置から構成される論理ディスクに格納し、例えば、本論理ディスクへのライトアクセスをディスクアレイコントローラ部が検出すると、ランクを構成するＡＴＡ磁気ディスク装置へ通電を開始しＡＴＡ磁気ディスク装置がＲｅａｄｙになるまでの間は既に稼働状態にあるＦＣ磁気ディスク装置によるランク部へデータの書き込みを行う。
【００１５】
ＡＴＡ磁気ディスク装置がＲｅａｄｙになると後続データをＡＴＡ磁気ディスク装置によるランク部へ書き込み、アクセスが無くなりデータの書き込みが完了するとＡＴＡ磁気ディスク装置への通電を停止する。
【００１６】
ディスクアレイコントローラ部が本論理ディスクへのリードアクセスを検出した場合も同様にＡＴＡ磁気ディスク装置への通電を開始する。
【００１７】
本論理ディスクへ書き込まれているデータの先頭部分は、通電状態にあるＦＣ磁気ディスク装置によるランク部に格納されている為、先にＦＣ磁気ディスク装置によるランク部からデータの読み出しを行い、この間にＡＴＡ磁気ディスク装置がＲｅａｄｙになり後続データの読み出しが可能になる。
【００１８】
なお、本論理ディスクへデータ書き込み時のＦＣ磁気ディスク装置によるランク部への書き込みデータ長は、読み出し時のＡＴＡ磁気ディスク装置の起動時間を考慮して決定するものである。
【００１９】
スケジューリングによるバックアップ等定刻にアクセスが行われる領域は、ＡＴＡ磁気ディスク装置から構成される論理ディスク上に配置する。
【００２０】
バックアップソフトウェアにはバックアップを開始する前にＡＴＡ磁気ディスク装置への通電を促すコマンドを発行する仕組みを設けておくことによりＡＴＡ磁気ディスク装置がＲｅａｄｙになってからデータの書き込みを開始することを可能とする。
【００２１】
なお、事前にバックアップ開始のコマンドを発行する仕組みのないソフトウェアを使用する場合は、前記のＦＣ磁気ディスク装置とＡＴＡ磁気ディスク装置から構成される論理ディスクをバックアップ領域とすることも可能である。
【発明の効果】
【００２２】
本発明のディスクアレイ装置およびその制御方法によれば、信頼性の高い磁気ディスク装置と信頼性の低い安価な磁気ディスク装置を用途に応じて柔軟に使い分けることが可能となりデータコストを削減すると共に、同一ディスクアレイ装置内に用途の異なるデータ領域を配置できるため、用途別に複数のディスクアレイ装置を備えること不要とし管理コストの削減を図ることができる。
【発明を実施するための最良の形態】
【００２３】
次に、本発明の一実施の形態について図を参照して詳細に説明する。なお、高性能／高信頼性で２４時間連続稼働可能な磁気ディスク装置としてＦＣ磁気ディスク装置、低価格だが性能／信頼性が劣り２４時間稼働を前提としない磁気ディスク装置としてＡＴＡ磁気ディスク装置を例にして、説明を行うが本発明はＦＣ磁気ディスク装置およびＡＴＡ磁気ディスク装置に限定されるものではない。
【００２４】
図１を参照すると、本実施の形態におけるディスクアレイ装置は、ディスクアレイコントローラ部１０１と、ディスクエンクロージャ部１１２を有し、ディスクエンクロージャ部１１２には、ＦＣ磁気ディスク装置およびＡＴＡ磁気ディスク装置が搭載可能であり、磁気ディスク装置単位で通電／停電の制御が可能である。
【００２５】
また、ＦＣ磁気ディスク装置で構成されるランク１２１、１２２、１２３と、ＡＴＡ磁気ディスク装置で構成される１２４、１２５、１２６を有しＦＣ磁気ディスク装置で構成されるランク１２１、１２２上に配置される論理ディスク１３１、ＡＴＡ磁気ディスク装置で構成されるランク１２４、１２５上に配置される論理ディスク１３２、ＦＣ磁気ディスク装置で構成されるランク１２３と、ＡＴＡ磁気ディスク装置で構成されるランク１２６に跨って配置される論理ディスク１３３の３種類の論理ディスクを作成することが可能である。
【００２６】
ディスクアレイ装置１は、ホストコンピュータ１０１および管理端末１０２に接続される。
【００２７】
以下に、本実施の形態における処理動作を詳細に説明する。なお、ディスクアレイ装置１は、２４時間稼働するシステムに接続された記憶装置であることを前提に動作の説明を行う。
【００２８】
ディスクアレイ装置１に配置された論理ディスク１３１は、全領域２４時間稼働しておりアクセス頻度の高いデータやサイズの小さいデータの格納領域として使用する。
【００２９】
ディスクアレイ装置１に配置された論理ディスク１３２は、スケジューリングにより定刻に行われるバックアップのバックアップデータ格納領域として使用する。
【００３０】
論理ディスク１３２を構成するＡＴＡ磁気ディスク装置は、バックアップ動作時以外は電源供給されていない。
【００３１】
ホストコンピュータ１０１にはバックアップを起動／管理するプログラムがインストールされており、バックアップ開始の一定時間（論理ディスク１３２を構成するＡＴＡ磁気ディスク装置に通電が開始され論理ディスク１３２へアクセスが可能になる時間）前にディスクアレイ装置１に対し、論理ディスク１３２を構成するＡＴＡ磁気ディスク装置への通電を開始する為のコマンドを発行しディスクアレイ装置１は論理ディスク１３２を構成するＡＴＡ磁気ディスク装置への通電を開始し、論理ディスク１３２へのアクセスを可能とする（Ｓ２０１）。
【００３２】
データのバックアップが完了するとバックアップを起動／管理するプログラムは、バックアップ完了のコマンドをディスクアレイ装置１に発行し、ディスクアレイ装置１は、論理ディスク１３２を構成するＡＴＡ磁気ディスク装置への通電の遮断を行う（Ｓ２０２）。
【００３３】
また、論理ディスク１３２を構成するＡＴＡ磁気ディスク装置への通電／停電は管理端末１０２からも制御でき、論理ディスク１３２は、データアクセス前後にシステム管理者の介在が可能なデータの格納領域として使用することも可能である。
【００３４】
ディスクアレイ装置１に配置された論理ディスク１３３は、アクセス頻度がそれ程高くないサイズの大きいデータの格納領域として使用する。
【００３５】
論理ディスク１３３を構成するＦＣ磁気ディスク装置からなるランク１２３は、２４時間稼働しており、ＡＴＡ磁気ディスク装置からなるランク１２６は、論理ディスク１３３へのアクセス時のみ通電を行う。
【００３６】
ホストコンピュータ１０１から論理ディスク１３３へのライトアクセスをディスクアレイコントローラ部１１１が検出した場合、ランク１２６を構成するＡＴＡ磁気ディスク装置への通電を開始し、ホストコンピュータ１０１からのライトデータの先頭から一定のサイズのデータを論理ディスク１３３のＦＣ磁気ディスク装置からなるランク１２３へ書き込む（Ｓ２０３）。
【００３７】
ＦＣ磁気ディスク装置からなるランク１２３への書き込み動作中に、ＡＴＡ磁気ディスク装置からなるランク１２６がＲｅａｄｙ状態になり、ホストコンピュータ１０１からの後続データをＡＴＡ磁気ディスク装置からなるランク１２６へ書き込みを行う（Ｓ２０４）。
【００３８】
ホストコンピュータ１０１からの全てのデータの書き込みが完了後、一定時間ホストコンピュータ１０１から論理ディスク１３３へのアクセスが無い場合、ランク１２６を構成するＡＴＡ磁気ディスク装置への通電を停止する（Ｓ２０５）。
【００３９】
ホストコンピュータ１０１から論理ディスク１３３へのリードアクセスをディスクアレイコントローラ部１１１が検出した場合、ランク１２６を構成するＡＴＡ磁気ディスク装置への通電を開始する（Ｓ２０６）。
【００４０】
論理ディスク１３３に格納されているデータの先頭部分は稼働状態であるＦＣ磁気ディスク装置からなるランク１２３に書き込まれており、ＦＣ磁気ディスク装置からなるランク１２３にあるデータから読み出しを開始する（Ｓ２０７）。
【００４１】
ＦＣ磁気ディスク装置からなるランク１２３からデータの読み出しを行っている間にＡＴＡ磁気ディスク装置からなるランク１２６がＲｅａｄｙ状態になり、ＡＴＡ磁気ディスク装置からなるランク１２６から後続データの読み出しを行う（Ｓ２０８）。
【００４２】
全てのデータの読み出しが完了後、一定時間ホストコンピュータ１０１から論理ディスク１３３へのアクセスが無い場合、ランク１２６を構成するＡＴＡ磁気ディスク装置への通電を停止する（Ｓ２０９）。
【００４３】
なお、前記ホストコンピュータ１０１から論理ディスク１３３へのライトアクセスが発生した場合のＦＣ磁気ディスク装置からなるランク１２３へ書き込む一定のデータサイズは、ホストコンピュータ１０１から論理ディスク１３３へのリードアクセスが発生した場合のＡＴＡ磁気ディスク装置からなるランク１２６への通電開始からＲｅａｄｙ状態になるまでの時間がＦＣ磁気ディスク装置からなるランク１２３からデータの読み出しにかかる時間より早くなるようなデータサイズとする。
【００４４】
また、ホストコンピュータ１０１から論理ディスク１３３へのアクセスが無くなってから、ランク１２６を構成するＡＴＡ磁気ディスク装置への通電を停止するまでの時間は管理端末１０２から設定することが可能であり、論理ディスク１３３と同じ構成の論理ディスクを複数構築しアクセス頻度の違いによりそれぞれの論理ディスクの時間を個別に設定してもよい。
【００４５】
上記の実施の形態によれば、信頼性の低い磁気ディスク装置は必要最小限の時間のみの稼働に抑える事が可能になり、一定以上の信頼性を維持することが可能となる。
【００４６】
なお、上述する各実施の形態は、本発明の好適な実施の形態であり、本発明の要旨を逸脱しない範囲内において種々変更実施が可能である。例えば、上記の実施の形態におけるディスクアレイ装置の論理ディスク１３２のみを有するディスクアレイ装置、１３３のみを有するディスクアレイ装置、あるいは１３２と１３３の組み合わせによるをディスクアレイ装置でもよい。また、上記の実施の形態におけるディスクアレイ装置の機能を実現するためのプログラムを各装置等に読込ませて実行することにより本システムの機能を実現する処理を行ってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【図面の簡単な説明】
【００４７】
【図１】本発明の実施形態におけるディスクアレイ装置の概略構成図である。
【符号の説明】
【００４８】
１    ディスクアレイ装置
１０１    ホストコンピュータ
１０２    管理端末
１１１    ディスクアレイコントローラ部
１１２    ディスクエンクロージャ部
１２１、１２２、１２３    ＦＣ磁気ディスク装置で構成するランク
１２４、１２５、１２６    ＡＴＡ磁気ディスク装置で構成するランク
１３１、１３２、１３３    論理ディスク
【図１】
2006277302.tif 000003